(57)【特許請求の範囲】
【請求項１】
一側から対向面の間にズボン、パンティー又はベルトが挟まれて着用されるようにクリップ状に結合された第１本体部材及び第２本体部材を備える本体；を含み、
前記本体にズボン、パンティー又はベルトが挟まれて着用された状態で、前記第１本体部材の外側面は身体の外側に向かい、前記第２本体部材の外側面は身体皮膚と接触するように形成されることを特徴とし、
前記本体の内部には電流を出力する電流出力回路が含まれ、前記第２本体部材の外側面には前記電流出力回路から出力された電流が通電する本体電極パッドが形成されることを特徴とする、身体接触携帯用治療器。
【請求項２】
前記電流出力回路は既設定の低周波電流を出力する低周波電流出力回路と既設定の中周波電流を出力する中周波電流出力回路を含み、
前記本体電極パッドは、前記低周波電流出力回路から出力された低周波電流と前記中周波電流出力回路から出力された中周波電流がそれぞれ通電する低周波電極板と中周波電極板を含むことを特徴とする、請求項１に記載の身体接触携帯用治療器。
【請求項３】
前記本体は、
尿失禁治療モードと生理痛治療モードを含む二つ以上の治療モードを含み、前記治療モードの一つが選択されるモード選択部；及び
前記モード選択部で選択された治療モードによって適正の低周波電流値と適正の中周波電流値がそれぞれ既に設定されており、前記モード選択部で選択された治療モードによる前記既設定の適正の低周波電流値と適正の中周波電流値が出力されるように前記低周波電流出力回路と中周波電流出力回路の動作を制御するＭＣＵ（Ｍｉｃｒｏ Ｃｏｎｔｒｏｌｌｅｒ Ｕｎｉｔ）をさらに含むことを特徴とする、請求項２に記載の身体接触携帯用治療器。
【請求項４】
前記モード選択部は、二つ以上の使用者の年情報を入力して選択する使用者年モード選択部をさらに含み、
前記ＭＣＵは、
前記モード選択部での年モードの選択によってかつ前記治療モードの選択によって、前記低周波電流出力回路と中周波電流出力回路のそれぞれから前記選択された年情報と治療モードに適した低周波電流と中周波電流がそれぞれ出力されるように既にプログラムされていることを特徴とする、請求項３に記載の身体接触携帯用治療器。
【請求項５】
前記本体は、
前記電流出力回路から出力される電流が外部に伝達されるように前記電流出力回路に連結され、前記本体と外部との間のデータ送受信ができるように連結されたプローブ連結端子を含み、
前記プローブ連結端子に電線を介して連結され、女性の膣内部に挿入されるように形成され、外面には、前記プローブ連結端子から前記電線を介して伝達される電流が通電するプローブ電極パッドが形成されたことを特徴とする、請求項３に記載の身体接触携帯型治療器。
【請求項６】
前記プローブは、
プローブの表面温度を測定する温度センサーと、温熱を発生させる発熱部と、振動を発生させる振動部とを含み、
前記本体部は、
前記発熱部で所定温度の温熱が発生するようにする温熱発生信号を出力し、前記出力された温熱発生信号が前記プローブの発熱部に伝送されるように前記プローブ連結端子に連結された温熱発生出力回路を含み、
前記ＭＣＵは、前記温度センサーで感知された温度が既設定の適正温度に維持されるようにする温熱発生信号が出力されるように前記温熱発生出力回路の動作を制御することを特徴とする、請求項５に記載の身体接触携帯用治療器。
【請求項７】
前記ＭＣＵは、
前記モード選択部で生理痛治療モードが選択された場合、前記プローブ連結端子側に電流が通電しないように前記電流出力回路の動作を制御し、
前記モード選択部で尿失禁治療モードが選択された場合には、前記低周波電流出力回路から出力された低周波電流と前記中周波電流出力回路から出力された中周波電流の中で既設定の単一電流のみが前記プローブ連結端子側に通電するように前記電流出力回路の動作を制御することを特徴とする、請求項５に記載の身体接触携帯用治療器。
【請求項８】
前記プローブは、
振動を発生させる振動部をさらに含み、
前記モード選択部は、
振動オン又はオフモードと振動強度によって区分される二つ以上の振動強度モードの一つを選択することができる振動モード選択部を含み、
前記本体部は、
前記振動部で所定の振動が発生するようにする振動発生信号を出力し、前記出力された振動発生信号が前記プローブの振動部に伝送されるように前記プローブ連結端子に連結された振動発生出力回路を含み、
前記ＭＣＵは、
前記振動モード選択部の選択による振動が前記振動部で発生するように前記振動発生出力回路を制御することを特徴とする、請求項５に記載の身体接触携帯用治療器。
【発明の詳細な説明】
【技術分野】
【０００１】
本発明は治療器に関するもので、より詳しくは身体に直接接触するように簡便に着用可能であるだけでなく、多様な女性疾患のそれぞれに対する治療効果を極大化することができる身体接触携帯用治療器に関するものである。
【背景技術】
【０００２】
本発明は特定周波数の電流を用いて身体の疾患、特に女性疾患を治療するための治療器に関するものである。
【０００３】
現代社会において女性の疾患は急速に増加している趨勢にある。
【０００４】
特に、人口の３０％以上が尿失禁疾患で苦しんでおり、子宮こぶ、冷え症、生理痛、性不感症などの各種の現代疾病が大きく増加している実情である。
【０００５】
さらに、女性疾患の場合は産婦人科を直接訪問して集中的な治療を受けなければならないにもかかわらず、個人的なプライバシーなどの理由で患者が治療を忌避する場合が非常に多い実情である。
【０００６】
現在、女性が個人的に使っている女性疾患治療器機は単に単一疾病に対する治療のみが可能であり、その大きさも非常に大きくて携帯及び使用に大きな不便さが伴っている。
【０００７】
特に、目立たないながらも簡便に身体に着用して使うことができる女性疾患治療器機はほとんど提供されていない実情である。
【０００８】
本発明の背景となる技術は韓国登録特許第１００６０６８号に開示されているようであるが、前記登録特許第１００６０６８号などの場合も前述した問題点に対する解決策は全然提示していない実情である。
【先行技術文献】
【特許文献】
【０００９】
【特許文献１】韓国登録特許第１００６０６８号公報
【発明の概要】
【発明が解決しようとする課題】
【００１０】
前述した問題点を解決するために案出された本発明の目的は、ズボンやスカート又はベルトなどに簡便に着用できるように小型化し、多様な女性疾患に対する治療モード選択ができるようにし、低周波電流と中周波電流による治療はもちろんのこと、温熱及び／又は振動による治療を同時に施すことができるようにして女性疾患に対する電気的治療ができるようにし、腹部の下側部又は／及び膣内部に対する治療を各疾病によって適切に施すことができるようにすることにより、身体に直接接触するように簡便に着用可能であるだけでなく、多様な女性疾患のそれぞれに対する治療効果を極大化することができるようにする身体接触携帯用治療器を提供することである。
【課題を解決するための手段】
【００１１】
前述したような目的を達成するための本発明の特徴によれば、一側から対向面の間にズボン、パンティー又はベルトが挟まれて着用されるようにクリップ状に結合された第１本体部材及び第２本体部材を備える本体；を含み、前記本体にズボン、パンティー又はベルトが挟まれて着用された状態で、前記第１本体部材の外側面は身体の外側に向かい、前記第２本体部材の外側面は身体皮膚と接触するように形成されることを特徴とし、前記本体の内部には電流を出力する電流出力回路が含まれ、前記第２本体部材の外側面には前記電流出力回路から出力された電流が通電する本体電極パッドが形成されることを特徴とする。
【００１２】
この際、前記電流出力回路は既設定の低周波電流を出力する低周波電流出力回路と既設定の中周波電流を出力する中周波電流出力回路を含み、前記本体電極パッドは、前記低周波電流出力回路から出力された低周波電流と前記中周波電流出力回路から出力された中周波電流がそれぞれ通電する低周波電極板と中周波電極板を含むことを特徴とする。
【００１３】
また、前記本体は、尿失禁治療モードと生理痛治療モードを含む二つ以上の治療モードを含み、前記治療モードの一つが選択されるモード選択部；及び前記モード選択部で選択された治療モードによって適正の低周波電流値と適正の中周波電流値がそれぞれ既に設定されており、前記モード選択部で選択された治療モードによる前記既設定の適正の低周波電流値と適正の中周波電流値が出力されるように前記低周波電流出力回路と中周波電流出力回路の動作を制御するＭＣＵ（Ｍｉｃｒｏ Ｃｏｎｔｒｏｌｌｅｒ Ｕｎｉｔ）をさらに含むことを特徴とする。
【００１４】
また、前記モード選択部は、二つ以上の使用者の年情報を入力して選択する使用者年モード選択部をさらに含み、前記ＭＣＵは、前記モード選択部での年モードの選択によってかつ前記治療モードの選択によって、前記低周波電流出力回路と中周波電流出力回路のそれぞれから前記選択された年情報と治療モードに適した低周波電流と中周波電流がそれぞれ出力されるように既にプログラムされていることを特徴とする。
【００１５】
また、前記本体は、前記電流出力回路から出力される電流が外部に伝達されるように前記電流出力回路に連結され、前記本体と外部との間のデータ送受信ができるように連結されたプローブ連結端子を含み、前記プローブ連結端子に電線を介して連結され、女性の膣内部に挿入されるように形成され、外面には、前記プローブ連結端子から前記電線を介して伝達される電流が通電するプローブ電極パッドが形成されたことを特徴とする。
【００１６】
また、前記プローブは、プローブの表面温度を測定する温度センサーと、温熱を発生させる発熱部と、振動を発生させる振動部とを含み、前記本体部は、前記発熱部で所定温度の温熱が発生するようにする温熱発生信号を出力し、前記出力された温熱発生信号が前記プローブの発熱部に伝送されるように前記プローブ連結端子に連結された温熱発生出力回路を含み、前記ＭＣＵは、前記温度センサーで感知された温度が既設定の適正温度に維持されるようにする温熱発生信号が出力されるように前記温熱発生出力回路の動作を制御することを特徴とする。
【００１７】
また、前記ＭＣＵは、前記モード選択部で生理痛治療モードが選択された場合、前記プローブ連結端子側に電流が通電しないように前記電流出力回路の動作を制御し、前記モード選択部で尿失禁治療モードが選択された場合には、前記低周波電流出力回路から出力された低周波電流と前記中周波電流出力回路から出力された中周波電流の中で既設定の単一電流のみが前記プローブ連結端子側に通電するように前記電流出力回路の動作を制御することを特徴とする。
【００１８】
前記プローブは、振動を発生させる振動部をさらに含み、前記モード選択部は、振動オン又はオフモードと振動強度によって区分される二つ以上の振動強度モードの一つを選択することができる振動モード選択部を含み、前記本体部は、前記振動部で所定の振動が発生するようにする振動発生信号を出力し、前記出力された振動発生信号が前記プローブの振動部に伝送されるように前記プローブ連結端子に連結された振動発生出力回路を含み、前記ＭＣＵは、前記振動モード選択部の選択による振動が前記振動部で発生するように前記振動発生出力回路を制御することを特徴とする。
【００１９】
また、前記本体電極パッドとプローブ電極パッドにはそれぞれ通電用接着パッドが結合されることを特徴とする。
【発明の効果】
【００２０】
以上説明したような本発明によると、身体に直接接触するように簡便に着用可能であるだけでなく、多様な女性疾患のそれぞれに対する治療効果を極大化することができる身体接触携帯用治療器を提供することができる。
【図面の簡単な説明】
【００２１】
【図１】本発明による身体接触携帯用治療器の斜視図である。
【図２】本発明による身体接触携帯用治療器の正面図である。
【図３】本発明による身体接触携帯用治療器の背面図である。
【図４】本発明による身体接触携帯用治療器の右側面図である。
【図５】本発明による身体接触携帯用治療器の左側面図である。
【図６】プローブと本体が連結された全体構成図である。
【図７】プローブの正面図である。
【図８】プローブの内部構成を示すための断面図である。
【図９】本発明による身体接触携帯用治療器の内部構成を示すためのブロック構成図である。
【図１０】本発明による身体接触携帯用治療器の内部構成を示すためのブロック構成図である。
【発明を実施するための形態】
【００２２】
本発明の利点及び特徴、そしてそれらを達成する方法は添付図面に基づいて詳細に後述する実施例を参照すれば明らかになるであろう。
【００２３】
しかし、本発明が以下に開示する実施例に限定されるものではなく、互いに異なる多様な形態に具現することができる。ただ、この実施例等は本発明の開示を完全にし、本発明が属する技術分野で通常の知識を持った者に発明の範疇を完全に知らせるために提供するものであり、本発明は請求項の範疇によって定義されるだけである。明細書全般にわたって同一参照符号は同一構成要素を指す。
【００２４】
以下、本発明の実施例による身体接触携帯用治療器を説明するための図面に基づいて本発明を説明する。
【００２５】
図１は本発明による身体接触携帯用治療器の斜視図、図２は正面図、図３は背面図、図４は右側面図、図５は左側面図である。
【００２６】
図６はプローブと本体が連結された全体構成図、図７はプローブの正面図、図８はプローブの内部構成を示すための断面図である。
【００２７】
図９及び図１０は本発明による身体接触携帯用治療器の内部構成を示すためのブロック構成図である。
【００２８】
本発明の好適な実施例による身体接触携帯用治療器は一側から対向面の間にズボン、パンティー又はベルトが挟まれることで着用されるようにクリップ状に結合された第１本体部材１１０及び第２本体部材１２０を備えている本体１００を含み、前記本体１００にズボン、パンティー又はベルトが挟まれて着用された状態で、前記第１本体部材１１０の外側面は身体（具体的に腹部の下側部）の外側に向かい、前記第２本体部材１２０の外側面は身体皮膚と接触するように形成されることを特徴とする。
【００２９】
この際、前記本体１００の内部には電流を出力する電流出力回路１５０が含まれ、前記第２本体部材１２０の外側面には、前記電流出力回路１５０から出力された電流が通電する本体電極パッド１６０が形成される。
【００３０】
すなわち、本発明による身体接触携帯用治療器は、第１本体部材１１０及び第２本体部材１２０が結合された本体１００と、前記本体１００の内部に含まれた電流出力回路１５０と、第２本体部材１２０の外側面に形成される本体電極パッド１６０とを含む。
【００３１】
前記本体１００は第１本体部材１１０と第２本体部材１２０がクリップ状に結合される。すなわち、前記本体１００は、前記第１本体部材１１０と第２本体部材１２０が、前記第１本体部材１１０と第２本体部材１２０の対向面の間に一側からズボンやベルトなどが挟まれることができるクリップ状に結合される。
【００３２】
この際、ズボン、パンティー又はベルトなどが前記第１本体部材１１０と第２本体部材１２０の間に挟まれて本体１００が身体部位に着用される場合、前記第１本体部材１１０の外側面は身体の外側に向かうように着用され、第２本体部材１２０は身体皮膚と接触するように着用される。
【００３３】
特に、前記第１本体部材１１０の内側面には、ズボン、パンティー又はベルトなどが第１本体部材１１０の内側面と第２本体部材１２０の内側面の間に密着して挟まれるようにするための弾性材の密着結合部材１１５がさらに結合されることが好ましい。
【００３４】
すなわち、前記密着結合部材１１５が第２本体部材１２０の内側面に近接して形成されることにより、第１本体部材１１０と第２本体部材１２０の間に挟まれたズボン、パンティー又はベルトが堅固に前記密着結合部材１１５及び第２本体部材１２０と噛み合って固定できるようにする。
【００３５】
前記電流出力回路１５０は、既設定の低周波電流を出力する低周波電流出力回路１５１と既設定の中周波電流を出力する中周波電流出力回路１５２とを含む。
【００３６】
この際、低周波電流とは１Ｈｚ以上かつ１０００Ｈｚ未満の周波数を有する電流を意味し、中周波電流とは１０００Ｈｚ以上かつ１００００Ｈｚ未満の周波数を有する電流を意味する。
【００３７】
この際、後述するＭＣＵ（Ｍｉｃｒｏ Ｃｏｎｔｒｏｌｌｅｒ Ｕｎｉｔ）１４０は選択された治療モードに適した低周波電流と中周波電流のそれぞれに対して既に設定されているように前記低周波電流出力回路１５１と中周波電流出力回路１５２の動作を制御する。
【００３８】
この際、前記本体電極パッド１６０、つまり本体電極板は前記低周波電流出力回路１５１から出力された低周波電流と前記中周波電流出力回路１５２から出力された中周波電流がそれぞれ通電する低周波電極板１６２と中周波電極板１６４を含む。
【００３９】
この際、前記本体電極パッド１６０では前記低周波電流と中周波電流による干渉波（ＩＣＴ）が発生し、発生した干渉波によってより効果的な治療が並行される。
【００４０】
すなわち、本発明による身体接触携帯用治療器は低周波電流と中周波電流による治療はもちろんのこと、干渉波による治療が並行して非常に効果的な治療が施されるようにする。
【００４１】
すなわち、本発明による身体接触携帯用治療器は、低周波電流及び中周波電流をそれぞれ出力する低周波電流出力回路１５１及び中周波電流出力回路１５２を含み、前記低周波電流出力回路１５１と中周波電流出力回路１５２からそれぞれ出力された低周波電流と中周波電流がそれぞれ前記本体電極パッド１６０で通電するように構成される。
【００４２】
この際、前記本体電極パッド１６０は、低周波電流出力回路１５１と通電する低周波本体電極パッド１６２と、中周波電流出力回路１５２と通電する中周波本体電極パッド１６４とを含んでなる。
【００４３】
前記本体１００は、尿失禁治療モード及び生理痛治療モードを含む二つ以上の治療モードを含み、前記治療モードの一つを選択するモード選択部１１１と、前記モード選択部１１１で選択された治療モードによって適正の低周波電流値と適正の中周波電流値がそれぞれ既に設定されており、前記モード選択部１１１で選択された治療モードによる前記既設定の適正の低周波電流値と適正の中周波電流値が出力されるように前記低周波電流出力回路と中周波電流出力回路の動作を制御するＭＣＵ（Ｍｉｃｒｏ Ｃｏｎｔｒｏｌｌｅｒ Ｕｎｉｔ）１４０とをさらに含む。
【００４４】
前記モード選択部１１１は前記第１本体部材１１０の外側面に設けられることが好ましい。
【００４５】
また、前記第１本体部材１１０の外側面には、前記モード選択部１１１で選択された各種の事項を表示する表示部１１２がさらに設けられることが好ましい。
【００４６】
前記ＭＣＵ（Ｍｉｃｒｏ Ｃｏｎｔｒｏｌｌｅｒ Ｕｎｉｔ）１４０は前記モード選択部１１１と電流出力回路１５０との間に電気的に連結される。
【００４７】
前記ＭＣＵ（Ｍｉｃｒｏ Ｃｏｎｔｒｏｌｌｅｒ Ｕｎｉｔ）１４０は、前記モード選択部１１１で選択された治療モードに適した低周波及び中周波の値が既に設定されており、前記モード選択部１１１で選択された治療モードに適した低周波電流及び中周波電流のそれぞれが前記低周波電流出力回路１５１と中周波電流出力回路１５２から出力されるように前記低周波電流出力回路１５１及び中周波電流出力回路１５２の動作を制御する。
【００４８】
この際、前記モード選択部１１１は、二つ以上の使用者の年情報を入力して選択する使用者年モード選択部をさらに含むことができる。
【００４９】
すなわち、使用者が自分の年齢帯を前記年モード選択部に入力し、自分の年齢帯に適しかつ自分が選択した治療モードに適した低周波／中周波治療を受けることができる。
【００５０】
この際、前記ＭＣＵ１４０は、前記年モード選択部で選択された年による適正の低周波電流値と適正の中周波電流値がそれぞれ既に設定されており、前記年モード選択部で選択された年による前記既設定の適正の低周波電流値と適正の中周波電流値が出力されるように前記低周波電流出力回路と中周波電流出力回路の動作をさらに制御する。
【００５１】
すなわち、前記ＭＣＵ１４０は、前記モード選択部１１１での年モードの選択によって、かつ前記治療モードの選択によって、前記低周波電流出力回路と中周波電流出力回路のそれぞれから、前記選択された年情報と治療モードに適した低周波電流及び中周波電流がそれぞれ出力されるように既にプログラムされている。
【００５２】
したがって、使用者は前記モード選択部１１１で自分に必要な治療モードを選択し、自分の年情報によって年モード選択部を選択すれば、前記ＭＣＵ１４０は使用者の年齢と治療モードの両方に適した低周波電流及び中周波電流がそれぞれ出力されるように前記低周波電流出力回路１５１と中周波電流出力回路１５２の動作を制御する。
【００５３】
前記本体１００は、前記電流出力回路１５０から出力される電流が外部に伝達されるように前記電流出力回路１５０に連結され、前記本体１００と外部との間にデータ送受信ができるように連結されたプローブ連結端子１９０を含む。
【００５４】
この際、前記プローブ連結端子１９０に電線３００を介して連結され、女性の膣内部に挿入されるように形成され、外面では前記プローブ連結端子１９０から前記電線を介して伝達される電流が通電するプローブ電極パッド２１０が形成されたプローブ２００をさらに含む。
【００５５】
前記プローブ２００は、プローブの表面温度を測定する温度センサー２２０と、温熱を発生させる発熱部２３０と、振動を発生させる振動部２４０とを含む。
【００５６】
この際、前記本体部１００は、前記発熱部２３０から所定温度の温熱が発生するようにする温熱発生信号を出力し、前記出力された温熱発生信号が前記プローブの発熱部に伝送されるように前記プローブ連結端子１９０に連結された温熱発生出力回路１７０を含む。
【００５７】
この際、前記ＭＣＵ１４０は、前記温度センサー２２０で感知された温度が既設定の適正温度に維持されるようにする温熱発生信号が出力されるように前記温熱発生出力回路１７０の動作を制御する。
【００５８】
すなわち、前記プローブ２００の温度センサー２２０で測定された温度が、既設定の膣内適正温度から一定の許容誤差を超える場合、前記既設定の膣内適正温度に維持されるように前記温熱発生出力回路を制御することにより、前記プローブ２００の発熱部２３０の動作を制御する。
【００５９】
これにより、冷え症に対する治療を他の治療と並行するかあるいは独立的に施すようにすることができる。
【００６０】
前記ＭＣＵ１４０は、前記モード選択部１１１で生理痛治療モードが選択された場合、前記プローブ連結端子１９０側に電流が通電しないように前記電流出力回路１５０の動作を制御し、前記モード選択部１１１で尿失禁治療モードが選択された場合には、前記低周波電流出力回路１５１から出力された低周波電流と前記中周波電流出力回路１５２から出力された中周波電流の中で既設定の単一電流のみが前記プローブ連結端子側１９０に通電するように前記電流出力回路１５０の動作を制御する。
【００６１】
すなわち、生理痛に対する治療モードが選択された場合は膣内低周波及び／又は中周波電流による治療が適しない場合に当たるので、前記ＭＣＵ１４０は、前記電流出力回路１５０から前記プローブに低周波及び／又は中周波電流が出力することができないように制御する。
【００６２】
また、前記ＭＣＵ１４０は、尿失禁に対する治療モードが選択された場合は、膣内低周波電流と中周波電流による治療が一緒に進むように前記電流出力回路の動作を制御することにより、治療モードのそれぞれに対する最適の治療が施されるように制御することになる。
【００６３】
前記プローブ２００は振動を発生させる振動部２４０をさらに含み、前記モード選択部１１１は、振動のオン又はオフモードと、振動強度によって区分される二つ以上の振動強度モードの中で一つを選択することができる振動モード選択部を含む。
【００６４】
この際、前記本体部１００は、前記振動部２４０で所定の振動が発生するようにする振動発生信号を出力し、前記出力された振動発生信号が前記プローブ２００の振動部２４０に伝送されるように前記プローブ連結端子１９０に連結された振動発生出力回路１８０を含む。
【００６５】
この際、前記ＭＣＵ１４０は、前記振動モード選択部の選択による振動が前記振動部２４０で発生するように前記振動発生出力回路１８０を制御する。
【００６６】
すなわち、使用者が自分に合う振動強度を選択すれば、選択された強度の振動が発生するようにする振動発生信号が前記振動発生出力回路１８０から出力されるようにする。
【００６７】
前記本体電極パッド１６０とプローブ電極パッド２１０にはそれぞれ通電用接着パッドが結合される。
【００６８】
身体又は膣壁に何らの刺激や傷が与えられないようにする素材の通電用接着パッドを前記本体電極パッド１６０とプローブ電極パッド２１０に付着することが好ましい。
【００６９】
また、本発明による身体接触携帯用治療器は、前記プローブ２００の外面を殺菌することができるＵＶランプ１９５をさらに含むことができる。
【００７０】
この際、前記本体には、前記ＵＶランプ１９５の動作をオン（ｏｎ）又はオフ（ｏｆｆ）させるランプボタンがさらに設けられる。
【００７１】
特に、前記プローブ連結端子１９０及びＵＶランプ１９５は前記第１本体部材１１０の上側部に設けられ、前記プローブ連結端子１９０及びＵＶランプ１９５が形成された部分を開閉するカバー１９７が設けられることが好ましい。
【００７２】
また、本発明による身体接触携帯用治療器は、前記電流出力回路１５０、温熱発生出力回路１７０、振動発生出力回路１８０などに電源を供給し、前記プローブ連結端子１９０に連結されて、記プローブ２００に電源を供給する電源部１３０が本体１００に含まれる。
【００７３】
この際、前記電源部１３０は充電池を含み、外部電源による充電後に使用できるようにすることが好ましい。
【００７４】
本発明が属する技術分野の通常の知識を持った者は本発明がその技術的思想や必須の特徴を変更せずに他の具体的な形態に実施することができることが理解可能であろう。したがって、以上に記述した実施例はすべての面で例示的なもので、限定的なものではないことを理解しなければならない。本発明の範囲は前述した詳細な説明よりは後述する請求範囲によって決められ、請求範囲の意味及び範囲、そしてその均等概念から導出されるすべての変更又は変形された形態が本発明の範囲に含まれるものに解釈されなければならない。
【符号の説明】
【００７５】
１００    本体
１１０    第１本体部材
１１１    モード選択部
１１２    表示部
１２０    第２本体部材
１３０    電源部
１４０    ＭＣＵ
１５０    電流出力回路
１５１    低周波電流出力回路
１５２    中周波電流出力回路
１６０    本体電極パッド
１７０    温熱発生出力回路
１８０    振動発生出力回路
１９０    プローブ連結端子
２００    プローブ
２１０    プローブ電極パッド
２２０    温度センサー
２３０    発熱部
２４０    振動部
【図１】
0006406554.tif 000002
【図２】
0006406554.tif 000003
【図３】
0006406554.tif 000004
【図４】
0006406554.tif 000005
【図５】
0006406554.tif 000006
【図６】
0006406554.tif 000007
【図７】
0006406554.tif 000008
【図８】
0006406554.tif 000009
【図９】
0006406554.tif 000010
【図１０】
0006406554.tif 000011